(57)【要約】【課題】省スペースで、容易にコネクタに挿抜することが可能なフレキシブル配線板の端子構造及びフレキシブル配線板の実装方法を提供する。【解決手段】フレキシブル配線板１０は、フレキシブル配線板１０の接続端子を補強すると共に、コネクタ２０挿抜時の保持部となる補強板１２を設置し、補強板１２は、ＦＰＣ端部１０ａと共にコネクタ２０への着脱部となる基部１２ａと、ＦＰＣ１０の長さ方向に突出しコネクタ挿抜時の保持用ツマミ部となる突起部１２ｂ，１２ｂとを有し、補強板１２は、前記接続端子の最外側端部から内側への所定領域のみがフレキシブル配線板１０に接着されて構成され、補強板１２の接着領域より内側でフレキシブル配線板１０を折り曲げて突起部１２ｂ，１２ｂを突出させ、該突起部１２ｂ，１２ｂを保持してコネクタ２０に挿抜する。【選択図】  図１
2004171958.tif 000002
【特許請求の範囲】
【請求項１】
回路基板のコネクタに接続されるフレキシブル配線板の端子構造であって、
前記フレキシブル配線板の接続端子を補強すると共に、前記コネクタ挿抜時の保持部となる補強板を設置し、
前記補強板は、前記接続端子の最外側端部から長さ方向への所定領域のみが前記フレキシブル配線板に接着されていることを特徴とするフレキシブル配線板の端子構造。
【請求項２】
前記補強板は、前記フレキシブル配線板の長さ方向に突出する突起部を有することを特徴とする請求項１記載のフレキシブル配線板の端子構造。
【請求項３】
前記フレキシブル配線板が、前記補強板の接着領域より内側で折り曲げられたとき、前記突起部が突出してコネクタ挿抜時の保持用ツマミ部となることを特徴とする請求項２記載のフレキシブル配線板の端子構造。
【請求項４】
回路基板のコネクタに、フレキシブル配線板の接続端子を接続するフレキシブル配線板の実装方法であって、
前記フレキシブル配線板の接続端子を補強すると共に、前記コネクタ挿抜時の保持部となる補強板を、前記接続端子の最外側端部から内側への所定領域に接着し、
前記補強板の接着領域より内側で前記フレキシブル配線板を折り曲げて前記補強板の一部を突出させ、該突出部を保持して前記コネクタに挿抜することを特徴とするフレキシブル配線板の実装方法。
【発明の詳細な説明】
【０００１】
【発明の属する技術分野】
本発明は、フレキシブル配線板（以下、適宜ＦＰＣと略称する）の端子構造及びフレキシブル配線板の実装方法に関し、特に、コネクタに挿入されるＦＰＣに関する。
【０００２】
【従来の技術】
一部分を折り曲げて使用するＦＰＣにおいて、以下のような従来例がある。
特許文献１及び特許文献２には、折曲部の一部を折り曲げないように切り欠いてコネクタ着脱操作用保持部とする例が開示されている。
【０００３】
【特許文献１】
実開平３−３３９８２号公報（図１）
【特許文献２】
特開平３−１０１０７９号公報（図１）
【０００４】
【発明が解決しようとする課題】
しかしながら、このような従来のＦＰＣにあっては、ＦＰＣに開孔を有する構造であったため、配線スペースが小さく細いパターンしか配線できず、電源／ＧＮＤ等太いパターンが必要な場合には、適用が困難、又は、幅を広げる必要があるという問題点があった。
【０００５】
本発明は、このような課題に鑑みてなされたものであって、省スペースで、容易にコネクタに挿抜することが可能なフレキシブル配線板の端子構造及びフレキシブル配線板の実装方法を提供することを目的とする。
【０００６】
【課題を解決するための手段】
本発明のフレキシブル配線板の端子構造は、回路基板のコネクタに接続されるフレキシブル配線板の端子構造であって、前記フレキシブル配線板の接続端子を補強すると共に、前記コネクタ挿抜時の保持部となる補強板を設置し、前記補強板は、前記接続端子の最外側端部から長さ方向への所定領域のみが前記フレキシブル配線板に接着されていることを特徴としている。
【０００７】
前記補強板は、前記フレキシブル配線板の長さ方向に突出する突起部を有することがより好ましい。
前記フレキシブル配線板が、前記補強板の接着領域より内側で折り曲げられたとき、前記突起部が突出してコネクタ挿抜時の保持用ツマミ部となることがより好ましい。
【０００８】
本発明のフレキシブル配線板の実装方法は、回路基板のコネクタに、フレキシブル配線板の接続端子を接続するフレキシブル配線板の実装方法であって、前記フレキシブル配線板の接続端子を補強すると共に、前記コネクタ挿抜時の保持部となる補強板を、前記接続端子の最外側端部から内側への所定領域に接着し、前記補強板の接着領域より内側で前記フレキシブル配線板を折り曲げて前記補強板の一部を突出させ、該突出部を保持して前記コネクタに挿抜することを特徴としている。
【０００９】
【発明の実施の形態】
以下、添付図面を参照しながら本発明の好適なフレキシブル配線板の端子構造及び実装方法の実施の形態について詳細に説明する。
【００１０】
図１乃至図３は、本発明の実施の形態のフレキシブル配線板と回路基板のコネクタとの接続構成を示す図であり、図１は、その斜視図、図２は、その平面図、図３は、ＦＰＣを折り曲げた場合の図２の側面図である。
【００１１】
図１において、１０はＦＰＣ（フレキシブル配線板）、２０はＦＰＣ１０を装着するためのハーネスであるコネクタ、２１はコネクタ２０が設置された部品実装基板である。
【００１２】
ＦＰＣ１０には、電気信号配線であるパターン１１が印刷されている。また、コネクタ２０との接続部にあたるＦＰＣ１０の端部１０ａには、補強板１２が接着剤１３（図３参照）により貼り付けられている。
【００１３】
補強板１２は、ＦＰＣ端部１０ａに接着剤１３により貼り付けられてＦＰＣ１０を補強すると共に、コネクタ２０挿抜時の保持部としての機能を併せ持つ。
補強板１２は、ＦＰＣ端部１０ａに貼り付けられてＦＰＣ端部１０ａと共にコネクタ２０への着脱部となる基部１２ａと、ＦＰＣ１０の長さ方向に突出しコネクタ挿抜時の保持用ツマミ部となる突起部１２ｂ，１２ｂとを有する。
【００１４】
補強板１２は、基部１２ａのみが接着剤１３によりＦＰＣ１０端部１０ａに固着されているため、ＦＰＣ１０は、図２及び図３に示す折り曲げ位置近傍から一部分を折り曲げて使用することができる。この場合、この基部１２ａが、フレキシブル配線板１０に接着される、接続端子の最外側端部から長さ方向への所定領域となる。
【００１５】
以下、上述のように構成されたＦＰＣ１０のコネクタ２０への実装方法を説明する。
部品実装基板２１には、ＦＰＣ１０を接続するためのハーネスであるコネクタ２０が装着されている。また、ＦＰＣ１０とコネクタ２０の接続部にあたるところには、接着剤１３により補強板１２が貼り付けてある。
【００１６】
ＦＰＣ１０をコネクタ２０に挿入する工程では、ＦＰＣ１０が図２に示す折り曲げ位置から自在に（図３では垂直に）折り曲げられるようになっているので、挿入の作業性がよくなっている。また、補強板１２の突起部１２ｂ，１２ｂは、ＦＰＣ１０の折り曲位置よりも長さ方向に突出しているため、挿入の際、この突起部１２ｂ，１２ｂを保持すれば挿入の作業性を向上させることができる。また、補強板１２は、剛性を持つためＦＰＣ端部１０ａを保護すると共に、コネクタ２０着脱が確実かつ容易であることに加え、コネクタ２０装着後にＦＰＣ１０が揺動する場合があってもＦＰＣ１０の脱落を防止することができ信頼性を向上されることができる。
【００１７】
なお、本実施の形態では、ＦＰＣ１０を垂直下方に折り曲げる例を示したが、折り曲げ位置及び方向は任意である。例えば、ＦＰＣ１０の線幅よりも補強板１２の突起部１２ｂ，１２ｂの間隔が広ければＦＰＣ１０は上下方向に曲げることができる。
【００１８】
以上説明したように、本実施の形態に係るフレキシブル配線板１０は、フレキシブル配線板１０の接続端子を補強すると共に、コネクタ２０挿抜時の保持部となる補強板１２を設置し、補強板１２は、ＦＰＣ端部１０ａと共にコネクタ２０への着脱部となる基部１２ａと、ＦＰＣ１０の長さ方向に突出しコネクタ挿抜時の保持用ツマミ部となる突起部１２ｂ，１２ｂとを有し、補強板１２は、前記接続端子の最外側端部から内側への所定領域のみがフレキシブル配線板１０に接着されて構成され、補強板１２の接着領域より内側でフレキシブル配線板１０を折り曲げて突起部１２ｂ，１２ｂを突出させ、該突起部１２ｂ，１２ｂを保持してコネクタ２０に挿抜するので、省スペースで、容易にコネクタに挿抜することができる。
【００１９】
なお、上記実施の形態に係るフレキシブル配線板では、液晶ディスプレイ等のパネルに適用できるほか、ＰＤＡ（Ｐｅｒｓｏｎａｌ  Ｄｉｇｉｔａｌ  Ａｓｓｉｓｔａｎｔｓ）等の携帯情報端末，無線通信機能と音響出力機能を搭載した携帯電話機，携帯型オーディオ機器，携帯型ＡＶプレーヤなどの電子機器に適用できることは言うまでもない。
【００２０】
また、上記実施の形態では、レキシブル配線板の端子構造及びフレキシブル配線板の実装方法、補強板の名称を用いているが、これは説明の便宜上であり、例えばフレキシブル配線板、回路基板接続方法等、コネクタ部材などでもよい。
【００２１】
さらに、上記フレキシブル配線板の形状は、どのような形状でもよく、フレキシブル配線板及び補強板を構成する材質、形状等の種類、数などは上述した実施の形態に限られない。
【００２２】
【発明の効果】
以上、詳述したように、本発明によれば、省スペースで、容易にコネクタに挿抜することが可能なフレキシブル配線板の端子構造及びフレキシブル配線板の実装方法が実現でき、液晶ディスプレイ等のパネルに適用して好適である。
【図面の簡単な説明】
【図１】本発明の実施の形態のフレキシブル配線板と回路基板のコネクタとの接続構成を示す斜視図である。
【図２】本発明の実施の形態のフレキシブル配線板の構成を示す平面図である。
【図３】本発明の実施の形態のフレキシブル配線板を折り曲げた場合の側面図である。
【符号の説明】
１０  ＦＰＣ（フレキシブル配線板）
１０ａ  ＦＰＣ端部
１１  電気信号配線パターン
１２  補強板
１２ａ  基部
１２ｂ，１２ｂ  突起部
１３  接着剤
２０  コネクタ
２１  部品実装基板
【図１】
2004171958.tif 000003
【図２】
2004171958.tif 000004
【図３】
2004171958.tif 000005